(57)【特許請求の範囲】
【請求項１】
紙幣挿入部を有する紙幣処理装置本体の内部に、紙幣挿入部から挿入された紙幣の真贋及び金種を識別する識別装置を有する紙幣導入機構と、複数の紙幣収納部と、上記紙幣導入機構を経た紙幣を金種に応じた紙幣収納部に導くための搬送機構とを備えた紙幣処理装置において、
集積状態の複数枚の紙幣の一括取込みが可能で、取込んだ集積状態の紙幣を分離して１枚ずつ下流側に送り出し得るようにした紙幣一括取込み装置を、紙幣処理装置本体の紙幣挿入箇所に対して着脱可能に装備し、
この紙幣一括取込み装置は、前端部に紙幣受け入れ部分、後端部に紙幣送出口を有し、紙幣処理装置本体の前面部の紙幣挿入箇所に設けられた開口の内方に位置して、上記紙幣受け入れ部分を上記開口から外方に臨ませるとともに上記紙幣送出口を識別装置に設けられた紙幣導入口部分に嵌合させた状態で、識別装置のハウジングに着脱可能に取付けられるようにし、
この紙幣一括取込み装置を上記紙幣挿入箇所に取付けた状態では集積紙幣を一括挿入することが可能な紙幣挿入部が構成され、紙幣一括取込み装置を取外した状態では紙幣を一枚ずつ受け入れる紙幣挿入部が構成されるようにしたことを特徴とする紙幣処理装置。
【請求項２】
上記紙幣一括取込み装置は、紙幣取入れ口と、この紙幣取入れ口に挿入される集積紙幣を取込む集積紙幣取込みローラと、この集積紙幣取込みローラにより取込まれた集積紙幣を分離して１枚ずつ下流側に送る紙幣分離手段とを備え、上記紙幣取入れ口を紙幣処理装置本体の外部に臨ませるとともに、紙幣分離手段を経た紙幣が識別装置に送られるように配置した状態で紙幣処理装置本体に着脱可能に取付けられることを特徴とする請求項１記載の紙幣処理装置。
【請求項３】
上記紙幣一括取込み装置に、集積紙幣取込みローラ及び紙幣分離手段を駆動する駆動手段が内蔵されていることを特徴とする請求項２記載の紙幣処理装置。
【請求項４】
紙幣処理装置本体内に紙幣導入機構の駆動手段が設けられるとともに、上記紙幣一括取込み装置を紙幣処理装置本体に取付けたときに上記駆動手段からの駆動力が紙幣一括取込み装置の集積紙幣取込みローラ及び紙幣分離手段に伝動されるように相対応する係脱可能な伝動手段が上記紙幣導入機構と紙幣一括取込み装置とに設けられていることを特徴とする請求項２記載の紙幣処理装置。
【発明の詳細な説明】
【０００１】
【発明の属する技術分野】
本発明は、紙幣挿入部から挿入された紙幣を金種別に紙幣収納部へ収納し得るようにした紙幣処理装置に関するものである。
【０００２】
【従来の技術】
従来、自動販売機、遊技場での遊技媒体貸出機、券売機、両替機等の各種用途において、複数金種の紙幣の取込み、収納及び紙幣の払出しが可能な紙幣処理装置は種々知られている。例えば特開平１１−１７５８０４号公報に示される装置では、装置本体に五千円札用、一万円札用及び千円札用の３つの金庫を一体的に設け、紙幣挿入口から紙幣が挿入されたときに識別手段により金種を識別し、搬送手段等を介して選択的にいずれかの金庫に送り込むようにするとともに、千円札については出金（金庫からの紙幣の払い出し）も可能なように、千円札用金庫には、繰出しローラ等を設けている。
【０００３】
【発明が解決しようとする課題】
上記公報に示された装置では、入金時に、紙幣挿入口から紙幣を１枚ずつ挿入する必要があり、複数枚の紙幣を一括に挿入することはできなかった。
【０００４】
また、集積状態の複数枚の紙幣を一括に挿入してもこれを処理できるように、集積紙幣を取込む取込み手段と、取込んだ集積紙幣を分離して１枚ずつ下流側の識別装置等に送る分離手段等を装置内部に設けたものは知られているが、この種の従来の装置は大がかりでコストが高く、しかも、集積紙幣を取込んだ後に分離する機構が紙幣処理装置の内部に一体的に組込まれている。従って、紙幣処理装置本体や内部機構を、紙幣を１枚ずつ挿入する簡易タイプのものと一括挿入可能なタイプのものとに共通化することはできなかった。
【０００５】
本発明はこのような点に鑑み、紙幣処理装置本体や内部機構を共通化しつつ、使用目的やユーザーの要求などに応じて一括挿入可能なタイプのものと紙幣を１枚ずつ挿入する簡易タイプのものとを選択的に供給することができるようにすることを目的とする。
【０００６】
【課題を解決するための手段】
本発明の紙幣処理装置は、紙幣挿入部を有する紙幣処理装置本体の内部に、紙幣挿入部から挿入された紙幣の真贋及び金種を識別する識別装置を有する紙幣導入機構と、複数の紙幣収納部と、上記紙幣導入機構を経た紙幣を金種に応じた紙幣収納部に導くための搬送機構とを備えた紙幣処理装置において、集積状態の複数枚の紙幣の一括取込みが可能で、取込んだ集積状態の紙幣を分離して１枚ずつ下流側に送り出し得るようにした紙幣一括取込み装置を、紙幣処理装置本体の紙幣挿入箇所に対して着脱可能に装備し、この紙幣一括取込み装置は、前端部に紙幣受け入れ部分、後端部に紙幣送出口を有し、紙幣処理装置本体の前面部の紙幣挿入箇所に設けられた開口の内方に位置して、上記紙幣受け入れ部分を上記開口から外方に臨ませるとともに上記紙幣送出口を識別装置に設けられた紙幣導入口部分に嵌合させた状態で、識別装置のハウジングに着脱可能に取付けられるようにし、この紙幣一括取込み装置を上記紙幣挿入箇所に取付けた状態では集積紙幣を一括挿入することが可能な紙幣挿入部が構成され、紙幣一括取込み装置を取外した状態では紙幣を一枚ずつ受け入れる紙幣挿入部が構成されるようにしたものである。
【０００７】
この構成によると、紙幣一括取込み装置を紙幣挿入箇所に取付けた状態では、一括挿入可能なタイプの紙幣処理装置となり、紙幣一括取込み装置を取外せば紙幣を１枚ずつ挿入する簡易タイプの紙幣処理装置となり、処理装置本体や内部機構がこれら両タイプのものに共通化されることとなる。
【０００９】
上記紙幣一括取込み装置の具体的構成としては、紙幣取入れ口と、この紙幣取入れ口に挿入される集積紙幣を取込む集積紙幣取込みローラと、この集積紙幣取込みローラにより取込まれた集積紙幣を分離して１枚ずつ下流側に送る紙幣分離手段とを備え、上記紙幣取入れ口を紙幣処理装置本体の外部に臨ませるとともに、紙幣分離手段を経た紙幣が識別装置に送られるように配置した状態で紙幣処理装置本体に着脱可能に取付けられるようにすればよい。
【００１０】
また、上記紙幣一括取込み装置には、集積紙幣取込みローラ及び紙幣分離手段を駆動する駆動手段を内蔵しておけばよい。あるいは、紙幣処理装置本体内に紙幣導入機構の駆動手段が設けられるとともに、上記紙幣一括取込み装置を紙幣処理装置本体に取付けたときに上記駆動手段からの駆動力が紙幣一括取込み装置の集積紙幣取込みローラ及び紙幣分離手段に伝動されるように相対応する係脱可能な伝動手段を上記紙幣導入機構と紙幣一括取込み装置とに設けるようにしてもよく、このようにすれば紙幣一括取込み装置に駆動源を設ける必要がない。
【００１１】
【発明の実施の形態】
以下、図面に基づいて本発明の実施形態を説明する。
【００１２】
図１及び図２は本発明の１実施形態による紙幣処理装置の全体構造を示している。これらの図において、１は紙幣処理装置本体であり、前面が扉１２によって開閉可能となった縦長箱状のケーシング１１により構成されている。上記扉１２の上部には、紙幣挿入のための部分（後記一括取込み装置６の紙幣受入れ部分６０等）を外部に臨ませるための開口１４及び後記紙幣払出部２００を外部に臨ませるための開口１５が配設されている。
【００１３】
紙幣処理装置本体１の内部には、複数の紙幣収納部と紙幣導入機構、搬送機構等の内部機構が配設されている。当実施形態では、紙幣収納部の増設、減少等の変更を容易にするため、紙幣収納部及び内部機構がモジュール化されている。
【００１４】
すなわち、紙幣処理装置本体１の内部には、最上部に位置する入出金用ユニット２と、最下部に位置するベースユニット３と、これらのユニット２、３の間に位置する一乃至複数段（図示の例では３段）の中間部ユニット４Ａ〜４Ｃとが配備され、各ユニット２，３，４Ａ〜４Ｃは、相互に分離可能で、かつ、それぞれ紙幣処理装置本体１に対して着脱可能となっている。そして、入出金用ユニット２に、紙幣の真贋及び金種を識別する識別装置２２を有する紙幣導入機構２１と紙幣導出機構２３が設けられ、ベースユニット３及び各中間部ユニット４Ａ〜４Ｃに紙幣収納部３１，４１が設けられるともに、入出金用ユニット２と各中間部ユニット４Ａ〜４Ｃ及びベースユニット３にわたって搬送機構２９，４２，３２が配設されている。また、必要に応じ、いずれか１つもしくは複数の中間部ユニットの上方に紙幣収納スペース増量のための補助ユニット５が配置され、図示の例では中間部ユニット４Ａの上に補助ユニット５が配置されている。
【００１５】
このような処理装置において、紙幣処理装置本体１の紙幣挿入箇所に対して紙幣一括取込み装置６が着脱可能に装備されている。この紙幣一括取込み装置６は、紙幣処理装置本体１の開口１４の内方に位置し、紙幣受入れ部分６０を開口１４から外方に臨ませた状態で、入出金用ユニット２の識別装置２２の前方に着脱可能に取付けられるようになっている。そして、図１のようにこの紙幣一括取込み装置６を取付けた状態では、集積状態の複数枚の紙幣ＰＡを一括挿入することが可能な紙幣挿入部が構成され、また、図２のように紙幣一括取込み装置６を取外した状態では、紙幣Ｐを１枚ずつ受け入れる紙幣挿入部が構成されるようになっている。なお、紙幣一括取込み装置６を取外して紙幣Ｐを１枚ずつ受け入れるようにする場合に、必要に応じ、開口１４から外方に突出する受入れ部材７０及び開口１４から識別装置２２までの案内プレート７１を取付けるようにすればよい。
【００１６】
上記各ユニット２，３，４Ａ〜４Ｃの具体的構造を次に説明する。
【００１７】
入出金用ユニット２は、フレーム２０内に上記紙幣導入機構２１、紙幣導出機構２３及び搬送機構２９を装備し、フレーム２０の前方下部に紙幣払出口２００を有している。
【００１８】
紙幣導入機構２１は、フレーム２０の前方上部に識別装置２２を有するともに、紙幣挿入部から識別装置２２を介して取込んだ紙幣をユニット２の後方部下方向へ向かわせるように案内する紙幣導入路２１０を有し、この紙幣導入路２１０には送りローラ２１１，２１２，２１３が配設され、これら送りローラ２１１，２１２，２１３は、モータ２１４によりベルト等の伝動機構を介して駆動されるようになっている。
【００１９】
紙幣導出機構２３は、出金指令に応じて紙幣を払出口２００に払出す機構と、不正紙幣等をリジェクトする機構とを含んでいる。すなわち、払出口２００に対応する高さ位置に配置した払出しリジェクト用送りベルト装置２４と、このベルト装置２４の上方のスペースで構成される一時貯留部２５と、出金時又はリジェクト時に搬送機構２９から一時貯留部２５の上方へ紙幣を導く案内装置２６と、この案内装置２６により導かれた紙幣をベルト装置２４上の一時貯留部２５に堆積させるためのプッシャー装置２７と、上記ベルト装置２４の下方のスペースに形成されたリジェクト室２８とを備えている。
【００２０】
そして、払出しリジェクトモータ２４７により図外の伝動手段を介して上記ベルト装置２４が正逆転可能に駆動され、正転方向に駆動されたときはベルト装置２４の上の一時保留紙幣が前方の払出口２００へ向けて送られ、逆転方向に駆動されたときは一時保留紙幣が後方の補助ベルト２４６に沿ってリジェクト室２８へ送られるようになっている。
【００２１】
搬送機構２９は、紙幣導入路２１０の下流端に対応する位置から入出金用ユニット２の下端までにわたる範囲で紙幣の搬送を行うもので、上部の一対の搬送ローラ２９１と、下部の一対の搬送ローラ２９２と、これらの間に配置されたガイド板等で構成されている。そして、一対のローラ同士がギヤ（図示せず）を介して互いに連動するとともに、上部及び下部の各一方の搬送ローラ２９１，２９２がベルト伝動手段（図示せず）を介して互いに連動するようになっている。
【００２２】
さらに、搬送機構２９の上端部には、紙幣移動経路を切り替えるための切替手段２９５が設けられている。この切替手段２９５は、入金時に搬送機構２９に対して紙幣導入路２１０を開く状態と、出金時やリジェクト時に紙幣導入路２１０を遮蔽して、搬送機構２９で逆送される紙幣を紙幣導出機構２３側に導く状態とに切り替え可能となっている。
【００２３】
一方、ベースユニット３と各中間部ユニット４Ａ〜４Ｃには、紙幣収納部３１，４１と、この紙幣収納部３１，４１の後方において上下方向に紙幣の搬送を行う搬送機構３２，４２と、搬送機構３２，４２と紙幣収納部３１，４１との間の取込み繰出し機構３４，４４と、紙幣収納部３１，４１の紙幣集積機構３５，４５とが設けられている。さらにベースユニット３には、搬送機構３２，４２の駆動源である搬送モータ３３と、紙幣集積機構３５，４５を駆動する駆動機構３６とが設けられている。なお、補助ユニット５には、その下方に位置するユニット４Ａの紙幣収納部４１に通じる収納スペース増量部５１が形成されるとともに、その後方に搬送機構５２が設けられている。
【００２４】
上記ベースユニット３の紙幣収納部３１と上記各中間部ユニット４Ａ〜４Ｃの紙幣収納部４１とは同じ構造であって、それぞれ、両側板、底板及び前面側の扉３１０，４１０等で構成され、内部に紙幣を集積状態で収納し得るスペースを有するように形成されている。
【００２５】
ベースユニット３の搬送機構３２は、紙幣収納部３１の後方上部に配置された一対の搬送ローラ３２０を備え、この一対の搬送ローラ３２０がギヤを介して互いに連動し、かつ、ベルト伝動手段を介して搬送モータ３３に連結されている。また、各中間部ユニット４Ａ〜４Ｃにそれぞれ設けられている搬送機構４２は、紙幣収納部４１の後方に配設された上部の一対の搬送ローラ４２０と、下部の一対の搬送ローラ４２１とを備え、一対のローラ同士がギヤを介して互いに連動するとともに、上下のローラがベルト伝動機構を介して連動するようになっている。さらに、各ユニットの搬送ローラ３２０，４２０は、中間伝動ギヤ３２５，４２５を介して相互に連動するようになっている。
【００２６】
ベースユニット３の取込み繰出し機構３４と各中間部ユニット４Ａ〜４Ｃの取込み繰出し機構４４とは同じ構造であって、フィードローラ３４０，４４０、送りベルト３４２，４４２、ストップローラ３４３，４４３、繰出しモータ３４５，４４５等を備え、繰出しモータ３４５，４４５の所定方向の回転又は逆方向の回転により、紙幣収納部への紙幣の取込み、及び紙幣収納部からの紙幣の繰出しを行うようになっている。
【００２７】
各中間部ユニット４Ａ〜４Ｃにおいて、搬送機構４２と取込み繰出し機構４４との間には、入金時に搬送手段４２により搬送させる紙幣を取込み繰出し機構４４に導く状態と、通過させる状態とに切替可能な切替手段が設けられている。
【００２８】
ベースユニット３の紙幣集積機構３５と各中間部ユニット４Ａ〜４Ｃの紙幣集積機構４５とはほぼ同じ構造であって、左右一対の分離板３５０，４５０と、この分離板３５０，４５０を昇降可能に保持する昇降用可動部材３５２，４５２と、集積紙幣を押圧するウエイト部材３５３，４５３等を備えている。紙幣収納部３１，４１内に紙幣が取込まれる毎に、分離板３５０，４５０が上下動することにより紙幣の集積を行うようになっている。
【００２９】
また、紙幣集積機構３５，４５を駆動する駆動機構３６は、リフターモータ３６０によりギヤ３６１、及び３６２を介して駆動されて上下動するリフター３６３を備え、このリフター３６３にベースユニット３の紙幣集積機構３５の昇降用可動部材３５２が連結され、かつ、この昇降用可動部材３５２と各中間部ユニット４Ａ〜４Ｃの紙幣集積機構４５の昇降用可動部材４５２とが連動している。
【００３０】
なお、この紙幣処理装置には、以上のような構成に加え、各種駆動部分を制御するための図外の制御基板部及び電源部が装備され、これらに対して各ユニットが着脱可能なコネクタで電気的に接続されるようになっている。さらに、各ユニットには制御に必要な各種検出手段が設けられている。
【００３１】
次に、一括取込み装置６の具体的構造を図３〜図５を参照して説明する。
【００３２】
これらの図に示すように、一括取込み装置６は、下部ハウジング６１ａと、この下部ハウジング６１ａに対しヒンジ手段６２を介して開閉可能に結合された上部ハウジング６１ｂとからなる箱形のハウジング６１を有している。下部ハウジング６１ａの前面側壁部には紙幣受入れ部分６０が取付けられ、紙幣受入れ部分６０から、複数枚（例えば２０枚程度）の紙幣を集積した集積紙幣ＰＡをハウジング６１内に受入れ得るようになっている。また、下部ハウジング６１ａの後面側壁部には、分離後の紙幣を下流側に送り出す紙幣送出口６１ｃが形成されている。
【００３３】
ハウジング６０内には、集積紙幣ＰＡを案内するガイドプレート６３と、ガイドプレート６３の上方に位置する集積紙幣取込みローラ６４と、この集積紙幣取込みローラ６４の下流側において紙幣分離手段を構成するフィードローラ６５及びリターンローラ６６と、駆動源となる繰出し駆動モータ６７とが配設されている。
【００３４】
上記集積紙幣取込みローラ６４は取込みローラ軸６４ａに取付けられ、この取込みローラ軸６４ａは揺動可能なローラリンク６８に支承され、ローラリンク６８の揺動に伴って上下動し得るようになっている。さらに取込みローラ軸６４ａには取込みローラギヤ６４ｂが設けられている。
【００３５】
上記フィードローラ６５はフィードローラ軸６５ａにワンウェイクラッチ（図示せず）を介して支承されている。このフィードローラ軸６５ａは図外の伝動手段を介して繰出し駆動モータ６７に連結され、このフィードローラ軸６５ａにフィードローラギヤ６５ｂが設けられている。フィードローラ６５は、フィードローラ軸６５ａに対して回転可能とされるとともに、フィードローラ６５に設けられた突起６５ｃがフィードローラギヤ６５ｂに設けられた円弧溝６５ｄに係合することにより、フィードローラギヤ６５ｂに対して所定回転角（円弧溝の範囲）だけ相対回転が許容される状態で連結されている。
【００３６】
また、フィードローラギヤ６５ｂと取込みローラギヤ６４ｂとはアイドルギヤ６９を介して連結されている。
【００３７】
上記ローラリンク６８は、フィードローラ軸６５ａの紙幣取込み方向の回転（矢印ａ）に応じて集積紙幣取込みローラ６４を押し下げる方向に付勢されるように、フィードローラ軸６５ａに摩擦抵抗部材等を介して結合されている。
【００３８】
また、リターンローラ６６は、フィードローラ６５に下方から押し付けられるように配置され、リターンローラ軸６６ａにトルクリミッタ６６ｂを介して取付けられている。
【００３９】
さらにこの紙幣一括取込み装置６には、紙幣が紙幣受入れ部分６０からハウジング６１内に挿入されたときにこれを検出する紙幣センサ（図示せず）が設けられている。
【００４０】
このような構造の紙幣一括取込み装置６が、紙幣導入機構２１に組込まれる識別装置２２のハウジングの前面に、嵌合、係着、ビス止めにより着脱可能に取付けられるようになっている。例えば、識別装置２２の前面側には、紙幣一括取込み装置６を取付けない場合に通常の紙幣受入れ部材を嵌合可能とする紙幣導入口部分が形成されているため、この部分にハウジング６１の紙幣送出口６１ｃを嵌合させ、この状態でビス止め等により識別装置２２にハウジング６１を固定するようにしておけばよい。なお、ケーシング１の内部の上部所定箇所に支持プレートを設けておき、この支持プレート上に識別装置及び紙幣一括取込み装置６を並べ配置してもよい。
【００４１】
以上のような構成の紙幣処理装置の動作を、次に説明する。
【００４２】
上記紙幣一括取込み装置６が紙幣処理装置本体１内の入出金用ユニット２に取付けられた状態で、集積紙幣ＰＡが紙幣受入れ部分６０からハウジング６１内に挿入されると、これが紙幣センサで検出され、それに応じて紙幣一括取込み装置６の繰出し駆動モータ６７が駆動されるとともに、紙幣導入機構２１のモータ２１４（図１参照）が駆動される。
【００４３】
紙幣一括取込み装置６においては繰出し駆動モータ６７の駆動に伴い、フィードローラシャフト６５ａ及びフィードローラギヤ６５ｂが回転し（矢印ａ）、そのフィードローラシャフト６５ａの回転に応じローラリンク６８が下方に揺動して集積紙幣取込みローラ６４が集積紙幣ＰＡに押し付けられる（矢印ｂ）とともに、フィードローラギヤ６５ｂの回転が取込みローラギヤ６４ｂに伝達されて集積紙幣取込みローラ６４が回転し（矢印ｃ）、集積紙幣ＰＡが取込まれる。
【００４４】
続いて、集積紙幣取込みローラ６４が所定量回転して集積紙幣ＰＡの先端がフィードローラ６５に達するような時点で、フィードローラ６５が回転し始める。そして、フィードローラ６５とリターンローラ６６との間に１枚目の紙幣が取込まれたときは、フィードローラ６５から紙幣を介してリターンローラ６６に回転駆動力が伝達されることにより、リターンローラ６６がフィードローラ６５と共回りする（矢印ｄ）が、２枚以上の紙幣が取込まれるときは、紙幣同士の摩擦力がリターンローラ６６と紙幣との摩擦力より小さいためにトルクリミッター６６ｂの作用でリターンローラ６６が逆回転して（矢印ｅ）、２枚目以降の紙幣を押し戻す。こうして、紙幣送出口６１ｃから１枚ずつ紙幣Ｐが送り出されることとなる。
【００４５】
送り出された紙幣Ｐは、紙幣導入機構２１のモータ２１４の駆動により識別装置２２を通って紙幣導入路２１０に取込まれ、その間に紙幣の真贋及び金種が識別される。そして、紙幣が真札であれば、搬送機構２９，４２，３２により下方へ送られるとともに、識別された紙幣の金種に応じて取込むべき紙幣収納部が決定され、その紙幣収納部が存在するユニットの取込み繰出し機構と紙幣集積機構が作動されて、当該紙幣収納部に紙幣が収納される。
【００４６】
また、出金時には、制御基板により払い出す紙幣の金種及び枚数が決定され、払い出すべき紙幣の金種に応じたユニットの紙幣収納部から紙幣が繰出され、一時貯留部２５を経て払出口２００に払い出される。また、一時貯留部２５の紙幣がリジェクトされるべき紙幣である場合は、ベルト装置２４が逆転方向に作動することにより、紙幣がリジェクト室２８に送られる。
【００４７】
なお、本発明の装置の具体的構造は上記実施形態に限定されず、種々変更可能である。
【００４８】
例えば、上記実施形態では紙幣一括取込み装置６に繰出し駆動モータ６７を設けているが、この駆動モータ６７を省略し、その代りに、紙幣一括取込み装置６を入出金用ユニット２に取付けたときに連結されるギヤ等の伝動手段を紙幣導入機構２１と紙幣一括取込み装置６とに設け、紙幣導入機構２１のモータ２１４の駆動力が紙幣一括取込み装置６に伝達されるようにしてもよい。このようにすれば、紙幣一括取込み装置の小型化、軽量化等が可能となる。
【００４９】
【発明の効果】
以上のように本発明によると、紙幣一括取込み装置を紙幣処理装置本体の紙幣挿入箇所に対して着脱可能に装備し、この紙幣一括取込み装置を上記紙幣挿入箇所に取付けた状態では紙幣挿入部に集積紙幣を一括挿入することが可能な紙幣挿入部が構成され、紙幣一括取込み装置を取外した状態では紙幣を一枚ずつ受け入れる紙幣挿入部が構成されるようにしているため、紙幣一括取込み装置を取付けるか取外すかにより一括挿入可能なタイプの紙幣処理装置と紙幣を１枚ずつ挿入する簡易タイプの紙幣処理装置とを選択することが可能となり、処理装置本体や内部機構をこれら両タイプのもの共通化することができる。また、上記紙幣一括取込み装置は、前端部に紙幣受け入れ部分、後端部に紙幣送出口を有し、紙幣処理装置本体の前面部の紙幣挿入箇所に設けられた開口の内方に位置して、上記紙幣受け入れ部分を上記開口から外方に臨ませるとともに上記紙幣送出口を識別装置に設けられた紙幣導入口部分に嵌合させた状態で、識別装置のハウジングに着脱可能に取付けられるようにしているため、容易に紙幣取込み装置の着脱を行うことができる。
【図面の簡単な説明】
【図１】本発明の一実施形態による紙幣処理装置の概略縦断側面図である。
【図２】上記紙幣処理装置において紙幣一括取込み装置を取外し、紙幣を１枚ずつ挿入するタイプとした場合の構造を示す概略縦断側面図である。
【図３】上記紙幣処理装置における紙幣一括取込み装置の断面図である。
【図４】紙幣一括取込み装置を識別装置に取付け、かつ、上部ハウジングを開いた状態の斜視図である。
【図５】紙幣一括取込み装置を識別装置に取付け、かつ、上部ハウジングを閉じた状態で図４とは異なる方向から見た斜視図である。
【符号の説明】
１  紙幣処理装置本体
２１  紙幣導入機構
２２  識別装置
３１，４１  紙幣収納部
２９，３２，４２  搬送機構
６  紙幣一括取込み装置
６４  集積紙幣取込みローラ
６５，６６  紙幣分離手段を構成するローラ
【図１】
0003751519.tif 000002
【図２】
0003751519.tif 000003
【図３】
0003751519.tif 000004
【図４】
0003751519.tif 000005
【図５】
0003751519.tif 000006